(57)【特許請求の範囲】
【請求項１】
構造物を設置するために用いられる高さ調節可能な置台において、基礎上に設置される接地部材と、該接地部材とを螺合することにより接地部材に対して昇降可能に配設し、構造物を支持する支持面を備えた昇降部材とからなり、該昇降部材の支持面に開口を有する液体収容部を形成し、該液体収容部と、協働して構造物を支持する昇降部材の支持面に開口を有する液体収容部とを連通するようにし、液体収容部の液体のレベルが昇降部材の支持面にくるように、接地部材に対して昇降可能に配設した昇降部材の支持面の位置調整を行うようにしてなることを特徴とする置台。
【発明の詳細な説明】
【技術分野】
【０００１】
本発明は、置台に関し、特に、構造物を設置するために用いられる高さ調節可能な置台に関するものである。
【背景技術】
【０００２】
従来、水準を調整するための高さ調節機能を備えていない物置、置棚、機械設備等の構造物を、例えば、排水のための勾配が設けられているコンクリート製等の基礎上に設置する場合、高さ調節可能な置台が用いられている。
【０００３】
この置台は、基礎上に設置される接地部材と、接地部材に対して昇降可能に配設し、構造物を支持する支持面を備えた昇降部材とからなるのが一般的であるが、協働して構造物を支持する複数の昇降部材の支持面の位置調整は、隣接する昇降部材間に仮部材を架設し、この仮部材上に水準器を置いて、水平を出すようにしていた。
【０００４】
しかしながら、この方法によると、隣接する２つの昇降部材の支持面の位置調整はできるものの、協働して構造物を支持するすべての昇降部材の支持面の位置調整を同時に行うことができないため、位置調整に手数を要するとともに、調整誤差を生じやすいという問題があった。
【発明の概要】
【発明が解決しようとする課題】
【０００５】
本発明は、上記従来の置台の有する問題点に鑑み、協働して構造物を支持するすべての昇降部材の支持面の位置調整を同時に、かつ、調整誤差を生じることなく行うことができる置台を提供することを目的とする。
【課題を解決するための手段】
【０００６】
上記目的を達成するため、本発明の置台は、構造物を設置するために用いられる高さ調節可能な置台において、基礎上に設置される接地部材と、該接地部材とを螺合することにより接地部材に対して昇降可能に配設し、構造物を支持する支持面を備えた昇降部材とからなり、該昇降部材の支持面に開口を有する液体収容部を形成し、該液体収容部と、協働して構造物を支持する昇降部材の支持面に開口を有する液体収容部とを連通するようにし、液体収容部の液体のレベルが昇降部材の支持面にくるように、接地部材に対して昇降可能に配設した昇降部材の支持面の位置調整を行うようにしてなることを特徴とする。
【発明の効果】
【０００７】
本発明の置台によれば、基礎上に設置される接地部材と、該接地部材に対して昇降可能に配設し、構造物を支持する支持面を備えた昇降部材とからなり、該昇降部材の支持面に開口を有する液体収容部を形成し、該液体収容部と、協働して構造物を支持する昇降部材の支持面に開口を有する液体収容部とを連通するようにしてなることにより、協働して構造物を支持するすべての昇降部材の支持面に開口を有する液体収容部のレベルを、所定位置、具体的には、昇降部材の支持面にくるように、接地部材に対して昇降可能に配設した昇降部材の支持面の位置調整を行うことによって、協働して構造物を支持するすべての昇降部材の支持面の位置調整を同時に、かつ、調整誤差を生じることなく行うことができる。
【０００８】
そして、接地部材と昇降部材とを螺合することにより、昇降部材を接地部材に対して昇降可能にすることにより、昇降部材の支持面の位置調整を簡易に行うことができる。
【図面の簡単な説明】
【０００９】
【図１】本発明の置台の一実施例を示す正面断面図である。
【図２】同置台を用いて基礎上に設置した物置の正面図である。
【図３】同置台の一使用例を示す正面断面図である。
【発明を実施するための形態】
【００１０】
以下、本発明の置台の実施の形態を、図面に基づいて説明する。
【００１１】
図１〜図３に、本発明の置台の一実施例を示す。
【００１２】
この置台１は、水準を調整するための高さ調節機能を備えていない物置、置棚、機械設備等の構造物Ｓ（本実施例においては、物置）を、例えば、排水のための勾配が設けられているコンクリート製等の基礎Ｆ上に設置する場合に用いられる高さ調節可能なもので、基礎Ｆ上に設置される接地部材１１と、この接地部材１１に対して昇降可能に配設し、構造物Ｓを支持する支持面１２ａを備えた昇降部材１２とからなり、昇降部材１２の支持面１２ａに開口１２ｃを有する液体収容部１２ｂを形成し、この液体収容部１２ｂと、協働して構造物Ｓを支持する昇降部材１２の支持面１２ａに開口１２ｃを有する液体収容部１２ｂとを連通するようにしている。
ここで、液体収容部１２ｂに収容する液体Ｌには、水等の任意の液体を使用することができる。
【００１３】
この場合において、昇降部材１２の液体収容部１２ｂと、協働して構造物Ｓを支持する昇降部材１２の支持面１２ａに開口１２ｃを有する液体収容部１２ｂとを連通するために、本実施例においては、接地部材１１に、昇降部材１２の液体収容部１２ｂと連通する液体収容部１１ｂ及びこの液体収容部１１ｂと連通する接続部１１ｃを形成し、この接続部１１ｃと、協働して構造物Ｓを支持する昇降部材１２に対応する接続部１１ｃとを、例えば、柔軟性を有する合成樹脂製のチューブ等からなる連通部材２を介して連通するようにしている。
この場合、接地部材１１に形成する接続部１１ｃの数は、協働して構造物を支持するすべての昇降部材１２の液体収容部１２ｂを相互に接続することができるように、図３に示す使用例のように、２以上とするようにしたり、接続部１１ｃの数を１とし、接続部１１ｃに接続した各連通部材２を分岐部材（図示省略）を用いて相互に連通するようにすることもできる。
なお、連通構造は、上記本実施例に記載したものに限定されず、例えば、昇降部材１２の液体収容部１２ｂと、協働して構造物Ｓを支持する昇降部材１２の液体収容部１２ｂとを、任意の連通部材を介して直接連通するようにすることもできる。
【００１４】
また、昇降部材１２を接地部材１１に対して昇降可能にするとともに、昇降部材１２を接地部材１１に対して所定位置で固定するようにする昇降機構１３として、本実施例においては、接地部材１１及び昇降部材１２にそれぞれねじ部１３ａ、１３ｂを形成し、接地部材１１と昇降部材１２とを螺合することにより構成している。
これにより、昇降部材１２の支持面１２ａの位置調整を簡易に行うことができるとともに、接地部材１１と昇降部材１２との摺接面からの液体Ｌの漏れを防止でき、シール部材を省略することができるようにしている。
なお、昇降部材１２を接地部材１１に対して昇降可能にするとともに、昇降部材１２を接地部材１１に対して所定位置で固定するようにする昇降機構１３は、ねじ部１３ａ、１３ｂに限定されず、例えば、接地部材１１に対して昇降可能にした昇降部材１２を、ピン等の固定片（図示省略）を用いて接地部材１１に固定するようにすることもできる。
また、必要に応じて、接地部材１１と昇降部材１２との摺接面からの液体Ｌの漏れを防止するためのシール部材（図示省略）を配設することもできる。
【００１５】
また、置台１は、接地部材１１を基礎Ｆ上に直接設置して用いるほか、例えば、図３に示す使用例のように、必要に応じて、接地部材１１を基礎Ｆ上にスペーサ３を介して設置して用いることもできる。
これにより、勾配がきつい基礎Ｆの場合でも、昇降部材１２の昇降可能寸法が小さいコンパクトな置台１を用いることができる。
【００１６】
なお、本実施例の置台１は、それぞれ独立して形成した置台１を、複数個（特に限定されるものではないが、通常、４個又は６個程度）、基礎Ｆ上に並べて用いるようにしたものであるが、例えば、接地部材１１を構造物Ｓの一辺に相当する長さの長尺形状又は四辺に相当する形状の矩形状に形成し、この接地部材１１に複数個の昇降部材１２を昇降可能に配設して構成することもできる。
【００１７】
そして、この置台１は、協働して構造物Ｓを支持するすべての昇降部材１２の支持面１２ａに開口１２ｃを有する液体収容部１２ｂの液体Ｌのレベル（水位）を、所定位置、具体的には、昇降部材１２の支持面１２ａにくるように、接地部材１１に対して昇降可能に配設した昇降部材１２の支持面１２ａの位置調整を行うことによって、協働して構造物Ｓを支持するすべての昇降部材１２の支持面１２ａの位置調整を同時に、かつ、調整誤差を生じることなく行うことができる。
【００１８】
以上、本発明の置台について、その実施例に基づいて説明したが、本発明は上記実施例に記載した構成に限定されるものではなく、その趣旨を逸脱しない範囲において適宜その構成を変更することができるものである。
【産業上の利用可能性】
【００１９】
本発明の置台は、協働して構造物を支持するすべての昇降部材の支持面の位置調整を同時に、かつ、調整誤差を生じることなく行うことができることから、水準を調整するための高さ調節機能を備えていない物置、置棚、機械設備等の構造物を、勾配が設けられている基礎上に設置する用途等に広く好適に用いることができる。
【符号の説明】
【００２０】
１  置台
１１  接地部材
１１ｂ  液体収容部
１１ｃ  接続部
１２  昇降部材
１２ａ  支持面
１２ｂ  液体収容部
１２ｃ  開口
１３  昇降機構
１３ａ  ねじ部
１３ｂ  ねじ部
２  連通部材
３  スペーサ
Ｆ  基礎
Ｌ  液体
Ｓ  構造物（物置）
【図１】
0005538783.tif 000002
【図２】
0005538783.tif 000003
【図３】
0005538783.tif 000004